(57)【特許請求の範囲】
【請求項１】
壁面に穿孔した円形の取付口を介して水道管の継手に接続する給水栓であって、前記取付口の内部で継手と接続される接続部を備えると共に、該接続部とは反対側に止水栓部および吐水部を並列状に設けてなる本体と、該本体を収容固定し、且つ、前記取付口に挿入可能な円筒部からなる取付ベースと、止水栓部の弁軸及び吐水部の挿通孔が形成され、前記取付ベースに取付けられる化粧カバーと、該化粧カバーによって前記本体および取付ベースに密着するシールパッキンとからなり、前記接続部は、円形取付口の中心に位置する継手と同心となるように本体に設けられ、且つ、前記継手に螺合可能としたことを特徴とする壁内蔵型給水栓。
【請求項２】
止水栓部はその弁軸が水平となるように本体に設られる一方、吐水部は傾斜して本体に設けられた請求項１記載の壁内蔵型給水栓。
【発明の詳細な説明】
【０００１】
【発明の属する技術分野】
この発明は、壁に取付けられる給水栓であって、詳しくは本体等の主要部を壁の内部に収容等することによって、壁面からの出っ張りを小さくした新規な構造に関するものである。
【０００２】
【従来の技術】
従来の給水栓は、図４に示した蛇口に代表されるように、弁構造１００を内蔵した本体１０１の上部に前記弁構造１００の弁軸１０２と連結される回動可能なツマミ乃至ノブ１０３を設け、且つ、吐水口１０４を前記弁軸１０２とほぼ直交する向きに本体１０１から前方に水平に突出した構造からなる。また、本体１００の後方には接続部１０５を一体に備え、該接続部１０５と吐水口１０４の通水部１０６とは本体１０１の内部において弁構造１００を介してほぼ一直線状に形成されている。そして、従来の給水栓は、床下または地中に配管された水道管を立ち上げ、エルボ継手を介するなどして、水平に取付けられる。
【０００３】
【発明が解決しようとする課題】
ところで、給水栓は洗面所や風呂場、台所といった屋内だけでなく、庭木への散水、洗車の便に供するため、屋外にも設置される。そして、主としてここに、本発明が解決しようとする課題が存在する。
【０００４】
第一に、従来給水栓の構造・外観に起因する課題である。即ち、従来給水栓は上述のような一般的構造からなるため、吐水口１０４が前方に突出した外観となっている。この外観は住宅のデザインが進化する中においても基本的に変わらないため、審美性や面白みに欠けるだけでなく、ツマミ等１０３の操作のため本体全部を外部に露出した状態で水道管に取付けられ、しかも吐水口１０４が前方に突出しているため出っ張りが大きく、例えば車庫に当該給水栓を設けた場合は、給水栓が車庫を狭める原因となり、これに車が接触しないように慎重に車庫入れしなければならなかった。
【０００５】
第二に、施工性に関する課題である。即ち、従来給水栓を例えば壁面に取付けようとする場合、本体は壁面の表側（屋外）に位置させなければならず、壁内に埋没されるのは接続部だけであって、しかも、水道管の管端に取付けたエルボ継手は壁面の奥まった所に位置するから、給水栓の接続部とエルボ継手を接続するには、この間にさらに相当長のアダプターが必要となるが、当該接続作業時に穿孔される壁穴は接続部の直径より僅かに大きい程度であるから、該壁穴を通してアダプターをエルボ継手に接続するときに思うように工具を操作できず、施工性が必ずしもよいとはいえなかったのである。
【０００６】
第三に、保守・管理に関する課題である。即ち、従来給水栓は上述した施工の下、基本的には取り外しや分解を予定せず、恒久的に取付けられるものであるため、メンテナンスが困難で、仮に経年劣化等により継手部分で漏水が発生したとしても、それを容易には確認できないといった課題がある。
【０００７】
なお、上述した何れの課題は、戸建て住宅だけに見られるものではない。つまり、近年では、マンションなどの集合住宅においても付加価値による品質向上やガーデニングの流行を背景に、バルコニーやベランダに屋外給水栓を設ける要望が高まりつつある。そして、給水管を鞘管ヘッダー工法により配設するシステムがあらゆる住宅に関して既に定着している中、当該工法によって給水管の配設は施工性よく行われるにも拘わらず、給水栓を屋外に取付ける場合には上述した課題が解決されない現状にある。
【０００８】
本発明は上述した課題を全て解決するためになされたもので、その目的とするところは、取付箇所における出っ張りを小さくしつつ見た目にもモダンな印象を与えると共に、施工性よく取付けられ、しかも保守・管理が容易な新規な給水栓を提供することにある。
【０００９】
【課題を解決するための手段】
上述した目的を達成するために本発明では、壁面に穿孔した円形の取付口を介して水道管の継手に接続する給水栓であって、前記継手への接続部を備えると共に、該接続部とは反対側に止水栓部および吐水部を並列状に設けてなる本体と、該本体を内部に収容固定し、且つ、前記取付口に挿入可能な円筒部からなる取付ベースと、止水栓部の弁軸及び吐水部の挿通孔が形成され、前記取付ベースに取付けられる化粧カバーと、該化粧カバーによって前記本体および取付ベースに密着するシールパッキンとによって給水栓を構成するという手段を用いた。この手段によれば、本体は取付ベースと共に壁面に穿孔した円形取付口に収容され、しかも、止水栓部と吐水部は本体の同一面側に位置するように設けたため、壁面からの出っ張りが小さい給水栓を構成することができる。また、止水栓部および吐水部の特殊な配置により、従来にない独特の審美性を印象付ける。
【００１０】
そして、接続部を、円形取付口の中心に位置する継手と同心に本体に設け、且つ、前記継手と螺合可能な構成を採用するという手段を用いた。この手段によれば、取付口における継手と中心合わせが可能となるため、取付ベースごと本体を回転させるだけで給水栓を継手に接続することができる。
【００１１】
請求項２では、止水栓部をその弁軸が水平となるように本体に設ける一方、吐水部を傾斜して本体に設けるという手段を用いた。この手段によれば、弁軸の操作ツマミ（例えば、コックやノブ）のみが本体から迫り出す止水栓部に比べて迫り出し量の大きい吐水部の当該迫り出し量を小さくすることができる。好ましくは、吐水部の先端を止水栓部における操作ツマミの頭頂部（先端）と合わせる。ただし、本発明においては、水平に吐水部を設けることを排除せず、例えば、吐水部の長さが短いものであれば、水平に設けても出っ張りの小さい構成とすることができる。
【００１２】
【発明の実施の形態】
以下、本発明の好ましい実施の形態を添付した図面に従って説明する。図１は、本発明の一実施形態に係る給水栓を壁面屋外に施工する一適用例を示した分解斜視図である。図中、１０は本発明給水栓、２０は円筒部２１にフランジ２２を形成してなる給水栓１０の取付ベース、３０・３１・３２はシールパッキン、４０は化粧カバーである。なお、５０は水道管の管端側と連通するように壁面Ｗに穿孔された円形の給水栓取付口６０に挿入される案内筒であって、排水用塩化ビニール管やボイド管からなり、該案内筒５０を介して前記取付口６０の内部に給水栓１０および取付ベース２０を収容するものである。
【００１３】
なお、給水栓取付口６０は、建築済みの住宅であれば、本発明給水栓１０を設置するにあたり新規に設ける以外、エアコン室外機の接続配管用貫通口やダクト口など既設の穿孔を利用することができる。一方、新築の住宅であれば、予め設計しておくことができるのはもちろんである。また、該取付口６０に挿入される案内筒５０は、主として取付口６０の内部保護を目的とするものであり、本発明給水栓１０の取付けには直接関係がないため、省略することも可能であるし、また別の手段によって取付口６０の内部を保護してもよい。
【００１４】
次に、図２と合わせて、各部材の構造およびその取付方法を詳説する。先ず、給水栓１０は、略丸直方体状を呈し、例えば青銅鋳物によって製造される本体１の前方屋外側に、止水栓部２を水平に螺合乃至嵌入し、且つ、これと同じ本体１の前方屋外側の止水栓部２の下方には吐水部３を下向きに傾斜して嵌入することによって、止水栓部２と吐水部３を同一面上に並列に設けた構造を有する。また、給水栓本体１の後方壁側の中央には接続部４が水平に本体１と一体的に突出して設けられている。さらに、本体１の左右側面および下方の３箇所には耳片１ａ…１ａが突出して一体成形されており、各耳片１ａにはネジ孔１ｂが形成されている。
【００１５】
本体１の内部構造をより詳しく説明すると、本体１の内部は、接続部４の一次側通水孔５が水平から直立となるようにＬ字状に形成されると共に、その末端に弁座６が形成され、該弁座６に着座するように止水栓部２が本体１に水平に組み付けられる一方、弁座６の下方には吐水部３と連通する弁室７が形成され、弁体２ａの開閉によって当該弁室７を介して一次側通水孔５と吐水部３を通水可能としている。
【００１６】
ここで、止水栓部２はその弁軸２ｂが接続部４の軸と平行するように水平に本体１に組み付けるのに対して、吐水部３は傾斜した態様に組み付ける理由は次の通りである、即ち、止水栓部２の組み付けに際し、本体１からの露出部分は弁軸２ｂの先端寄り、僅かにコック取付け部２ｃのみであり、該取付け部２ｃにコック７０を取付けた状態でも、本体１からの迫り出し量はコック７０の幅のみに止まる。そして、吐水部３の迫り出し量もこれに合わせる目的から、該吐水部３を本体１に対して斜めに組み込むこととしたのである。これによって、コック７０の頭頂と吐水部３の先端はほぼ同一線上に位置し、屋外側の迫り出し量が極めて小さい給水栓構造となる。
【００１７】
なお、吐水部３は逆止弁３ａを内蔵しており、一次側への逆流を防止している。また、本実施形態では、吐水部３の先方をカプラー構造とし、いわゆるワンタッチカップリングと接続し得るようにしている。ただし、吐水部３の外観形状はこれに限らない。
【００１８】
続いて、取付ベース２０は、ＳＵＳなどを素材に、案内筒５０に挿入可能な径からなる円筒部２１に壁面Ｗの給水栓取付口６０よりも大径のフランジ２２を形成してなる。また、円筒部２１の内部には給水栓１０に設けた耳片１ａ…１ａと対応する３箇所に突片２３が内向きに突成され、各突片２３にもネジ孔２４が貫設されている。さらに、フランジ２２には環状の段差部２５が形成され、該段差部２５にはシールパッキン３２が収められる。さらにまた、段差部２５には等間隔（１２０度ごと）にネジ孔２６が貫設されている。
【００１９】
シールパッキン３０・３１・３２はそれぞれドーナッツ状に形成され、このうち３０・３１は給水栓１０の止水栓部２および吐水部３の外周に挿嵌される。また、シールパッキン３２は、上述のように取付ベース２０のフランジ段差部２５に収容可能な外径からなり、且つ、該段差部２５に貫設したネジ孔２６に対応してネジ孔３２ａが貫設されている。
【００２０】
化粧カバー４０は、ＳＵＳなどを素材として、取付ベース２０の段差部２５に収容可能な直径の円板本体４１からなる。また、該円板本体４１には丸四角形状の陥没部４２が形成されている。そして、該陥没部４２の上部に給水栓１０における止水栓部２の弁軸２ｂを屋外に露出する挿通孔４３が貫設されると共に、該挿通孔４３の下方には給水栓１０の吐水部３と同じ傾斜角度の傾斜面４４が形成され、且つ、該傾斜面４４には吐水部３の挿通孔４５が形成されている。
【００２１】
而して、上記構造の給水栓ユニットを施工するには、先ず、壁面Ｗの内部に水道管ＷＰを立ち上げておき、その管端に臨むようにリーマーなどの穿孔装置を用いて壁面Ｗに給水栓取付口６０を貫設し、該取付口６０に案内筒５０を挿入した上で、水道管ＷＰの管端にエルボ継手ＥＣおよび給水アダプターＳＡを接続しておく。なお、ここまでの工法は本発明を特徴付けるものではなく、鞘管ヘッダー工法などの既存の技術を利用して行うことができる。ただし、この実施形態では、取付口６０を穿孔するに当たり、その中央に給水アダプターＳＡ（継手）の中心が位置するようにしており、この点に関しては、後述するように、本発明による特徴が見出せる。
【００２２】
案内筒５０の取付完了後は、給水栓１０の耳片１ａと取付ベース２０の突片２３を合致させた状態で両者のネジ孔１ｂ・２４をネジ止めすることによって給水栓１０を取付ベース２０に固定する。このとき給水栓１０の中心と取付ベース２０の中心は合致するため、取付ベース２０の後方中央に接続部４が位置することなる。
【００２３】
このようにして給水栓１０の取付ベース２０への固定作業が完了したならば、給水栓１０を水道管ＷＰの給水アダプターＳＡに接続するのであるが、このときの接続作業は、専用工具を一切使用せずとも、取付ベース２０ごと給水栓１０を回転させながら案内筒５０の奥に押し込むだけで完了する。即ち、この実施形態では、給水栓１０の本体１の中央に接続部４を突成すると共に、これに合わせて取付口６０の中央に給水アダプターＳＡを臨ませ、接続部４と給水アダプターＳＡを同心状としているためで、給水栓１０をあたかもボルト頭のように回転させれば、螺合作用によって給水アダプターＳＡに接続部４を接続することができるのである。
【００２４】
このとき取付ベース２０の円筒部２１はフランジが取付口６０の周囲と当接するまで取付口６０の内部に挿入される。そして、給水アダプターＳＡに対する給水栓１０の螺合を強めれば、フランジ２２の当接も強くなり取付口６０の周囲との密着度を高めることができる。ただし、取付口６０の内部保護や漏水防止という観点から、好ましくはフランジ２２にコーキング８０を施し、気密・水密性を高めておく。
【００２５】
そして、最後に各シールパッキン３０・３１・３２を装着した状態で、化粧カバー４０を取付ベース２０にネジ止めすることによって、本施工が完了する。このとき各シールパッキン３０・３１・３２は化粧カバー４０によって給水栓１０および取付ベース２０に密着して水密性を発揮することはもちろんである。
【００２６】
このように本実施形態による給水栓１０は、それ自体を回転させるだけで水道管ＷＰ等への接続が完了するため、施工性がよい。また、給水栓１０の回転接続作業も、壁面Ｗに穿孔される取付口６０が手を挿入しやすい大きさとなるため、何ら困難を伴わず行うことができる。さらに、取付ベース２０への給水栓１０や化粧カバー４０（シールパッキン３２を含む）の取付けもドライバー一本で行うことができ、上記施工性に何ら支障を来すものではない。これを言い換えれば、保守・管理も容易に行うことを意味する。即ち、給水栓１０をメンテナンスする場合は、化粧カバー４０を取り外すだけでよく、これによって止水栓部２や吐水部３を交換・修理することができる。また、取付ベース２０の後方は大きく開口しているため、給水アダプターＳＡ等の漏水点検も行うことができる。さらに、給水栓１０の交換を行う場合も、給水栓１０を上述とは反対方向に回転させるのみで、給水栓１０が取り外され、取付口６０の内部を容易に目視により確認することができる。
【００２７】
図３は、施工完了後の本発明給水栓１０の正面図である。同図に示されるように、本発明給水栓１０は円形の中にコック７０（止水栓部２の弁軸２ｂ）と吐水部３が上下して位置した独特の審美性を醸している。
【００２８】
また、施工完了後は、図２からも明らかなように、給水栓１０の本体１は取付口６０なしは案内筒５０に完全に収容され、壁面Ｗからはコック７０および吐水部３の一部が僅かに突出するだけであるから、全体の迫り出し量を極めて小さくすることができた。
【００２９】
なお、本発明の具体的な実施形態は上述したものに限定されない。つまり、本実施形態では、屋外壁面への適用を例示したが、水道管ＷＰに臨んで取付口６０を穿孔できる平面があれば、床面あるいは水栓柱の側面であってもよく、屋外だけでなく屋内にも取付けることはもちろんである。
【００３０】
さらに本実施形態では、最良な実施形態を示すため、接続部３と水道管ＷＰ等の中心位置を合わせ、螺合作用によって簡単に施工できる態様としたが、接続部３と水道管ＷＰや各種継手・アダプターとの接続態様はこれに限定されない。つまり、例えば接続部３を押し込むだけで接続が完了するワンタッチカップリングを採用することもできる。また、該接続態様によれば、接続部３と水道管ＷＰ等を必ずしも取付口６０の中心で合わせることはなく、当該中心から外れた位置にあっても同じ偏心量であれば接続部３を水道管ＷＰ等に接続することができる。本発明で最低限必要なことは、給水栓本体１の同一面上に止水栓部２と吐出部３を設けることである。
【００３１】
【発明の効果】
以上説明したように、本発明によれば、従来にないデザインの給水栓が構成され、独特の審美性を醸すと共に、本体からの迫り出し量が極めて小さい給水栓を提供することができる。また、接続部を、円形取付口の中心に位置する継手と同心に本体に設け、且つ、前記継手と螺合可能な構成を採用したので、特別な工具を要せずとも、容易に給水栓の接続作業が行え、施工性が向上する。さらに、請求項２では、迫り出し量をさらに小さくすることができ、また、吐水部が止水栓部と並列して取付けられるため、さらに審美性を高めることができる。
【図面の簡単な説明】
【図１】一実施形態に係る本発明給水栓を屋外壁面に適用した分解斜視図
【図２】同、施工完了後の縦断面図
【図３】同、正面図
【図４】従来技術を示した蛇口の縦断面図
【符号の説明】
１０  本発明給水栓
２０  取付ベース
３０・３１・３２  シールパッキン
４０  化粧カバー
５０  案内筒
６０  取付口
７０  コック
８０  コーキング
【図１】
0003654588.tif 000002
【図２】
0003654588.tif 000003
【図３】
0003654588.tif 000004
【図４】
0003654588.tif 000005